(57)【要約】【課題】  電気的・機械的な動力を不要とし自然調湿作用を行うことが可能な室内などの環境空間を、塗り作業や張替え作業などを行わず着脱作業のみによりきわめて容易に提供する。【解決手段】  下地材Ｗの壁紙などを剥がし下地材Ｗの調整を行うなどの工程を省き、吸放湿性を有する調湿部材１をコンタクト部材２（３，４）を用いて着脱作業によって添着させるだけで調湿空間を形成する。【選択図】  図１
2005054555.tif 000002
【特許請求の範囲】
【請求項１】
一方面側を接着剤塗布状接着面とすると共に、他方面側を面ファスナー状接着面とし、互いの面ファスナー状接着面により着脱自在に結合される第１コンタクト部材と第２コンタクト部材とを準備し、上記第１コンタクト部材の接着剤塗布状接着面を壁面などの下地材に添着すると共に、上記第２コンタクト部材の接着剤塗布状接着面に高含水率で吸放湿性を有する調湿部材を添着し、上記第１コンタクト部材と上記第２コンタクト部材の面ファスナー状接着面を重ね合せて接合し、下地材上に張替え自在に調湿部材を敷設することを特徴とする吸放湿性を有する調湿空間の形成方法。
【請求項２】
高含水率で吸放湿性を有する調湿部材と、一方面側を接着剤塗布状接着面とすると共に、他方面側を面ファスナー状接着面とし、互いの面ファスナー状接着面により着脱自在に結合される第１コンタクト部材と第２コンタクト部材とよりなり、上記第１コンタクト部材の接着剤塗布状接着面を壁面などの下地材に添着すると共に、上記第２コンタクト部材の接着剤塗布状接着面に高含水率で吸放湿性を有する調湿部材を添着し、上記第１コンタクト部材と第２コンタクト部材の面ファスナー状接着面を重ね合せて接合することにより、下地材上に張替え自在に上記調湿部材を敷設可能とすることを特徴とする調湿空間の形成部材。
【発明の詳細な説明】
【技術分野】
【０００１】  この発明は、電気的・機械的な動力を不要とし自然調湿作用を行うことが可能な室内などの環境空間を、塗り作業や張替え作業などを行わず着脱作業のみによりきわめて容易に提供することができる吸放湿性を有する調湿空間の形成方法、及び、その形成部材に関するものである。
【背景技術】
【０００２】  近年、下地材上にコテ塗りを行なわず、刷毛，塗装ローラ，吹き付けガンなどのように強制的に圧力をかけない手段でも、耐久性，消音性，耐火性，耐熱性，保温性，消臭性，経済性等を有すると共に、作業中材料のダレ現象，微粉の周囲環境への飛散の防止，結露防止作用など調湿性能に優れた建材用組成物や壁紙が提案されている。【０００３】  そのような建材用組成物としては、本願出願人が先に特開平１１−１２０６６号公報で提案しているもので、これは次のような技術的背景により提案されたものである。例えば、特開平８−４９３０８号公報などに示される従来の建材用組成物は、プラスター１００重量部に対してセメント類１０〜５０重量部，焼成珪藻土等の多孔質無機材料３０〜１２０重量部を混合し、これら混合物に水を添加して混練した後に下地材上にコテ塗りを行なってボード類，パネル類，壁などとする。【０００４】  すなわち、従前の建材用組成物は、圧力をかけて均すコテ塗り用のものであるが、圧力をかけずに塗る刷毛，塗装ローラ，吹き付けガンなどに用いた場合には、作業中材料のダレ現象や作業衣への付着が生じ、乾燥後仕上り面上に徴粉が残り、それが周囲に飛散し快適環境に対し問題が残るものであった。【０００５】  このため、従前技術の利点である耐久性，消音性，耐火性，耐熱性，保温性，消臭性，経済性等を保有しつつ、コテ塗りのように強制的に圧力をかけない手段を用いて下地材に塗装する場合でも、作業中材料のダレ現象、作業者着衣への付着性、乾煤後仕上り面上への微粉の残存、微粉の周囲環境への飛散などがなく、しかもより一層の結露防止作用に優れた建材用組成物を提供しようとしたものであった。【０００６】  また、本願出願人は、湿気の吸放湿を良好に行なう調湿性を有すると共に、結露防止やかび発生防止などの性能に優れ、しかも室内の空気中に拡散されている有害化学物質を吸着・分解することが可能な壁紙に関し、既に特許第３３５８０２６号として特許を受けており、製品名「ケイソウくん」（登録商標）として販売をしており好評を得ている。
【発明の開示】
【発明が解決しようとする課題】
【０００７】  しかしながら、上記したような従来提案の建材用組成物は、耐久性，消音性，耐火性，耐熱性，保温性，消臭性，経済性等を損なわず、特に刷毛，塗装ローラ，吹き付けガンという強制的に圧力をかけない手段を用いて下地材に塗装を行った場合でも、作業中材料のダレ現象、作業者着衣への付着性、乾煤後仕上り面上への微粉の残存、微粉の周囲環境への飛散などがなく、しかもより一層の結露防止作用など環境にもよい建材用組成物であっても、塗装により塗り作業を行わなければならないという問題があった。【０００８】  塗装により塗り作業を行なうということは、
▲１▼  新築であれリフォームであれ、塗装をかける下地材の調整を行わなければならない。特に、模様替えやリフォームを行う場合には、下地材に貼り付けられている壁紙などを剥がすと共に、その下地材を塗装可能に調整をしなければならない。
▲２▼  圧力をかけて塗装を行うにせよ圧力をかけずに塗装を行うにせよ、綺麗な塗装を行うことは大変な作業であると共に、塗装面の養生を図らなければならない。
など、手間と時間をかけなければならず、かなりの技術とコストがかかり、また、素人が手軽に容易に行うことはできないのが現状であった。【０００９】  また、上記したような従来提案の壁紙は、
▲１▼  新築の場合には、石膏ボードのジョイント部をパテ処理し平滑にする工程が必要となり、その上で壁紙を貼るという手間のかかる作業が必要となる。
▲２▼  リフォームを行う場合には、ジョイント部をパテ処理し平滑にする作業の前に既存の壁紙を取り除くという作業も必要になり、ゴミが多量に排出されることとなる。
また、塩化ビニールなどの壁紙は、廃棄処分で焼却するとダイオキシンなどが発生するので、人間生活環境と地球環境の双方に大きな問題があった。【００１０】  一方、近年はシックハウス問題などに対する健康面への関心の高まりから、電気的・機械的な動力源を不要とし、特に室内の自然加湿を手軽に行うことが可能な室内の自然加湿方法や器具が好まれてきている。換言すれば、手軽に室内環境の調湿や安全・浄化を図ることができる手段の簡便な提供が望まれてきている。【００１１】  この発明は、上記のような事情に鑑みてなされたものであり、電気的・機械的な動力を不要として自然な調湿作用及び安全・浄化作用を行うことが可能な室内などの環境空間を創出する際に、壁面などを塗り作業や張替え作業などを行わず着脱作業のみによりきわめて容易に提供することができる吸放湿性を有する調湿空間の形成方法、及び、その形成部材の提供を目的とする。
【課題を解決するための手段】
【００１２】  上記のような目的を達成するために、調湿空間の形成方法は、請求項１記載のように、一方面側を接着剤塗布状接着面とすると共に、他方面側を面ファスナー状接着面とし、互いの面ファスナー状接着面により着脱自在に結合される第１コンタクト部材と第２コンタクト部材とを準備し、上記第１コンタクト部材の接着剤塗布状接着面を壁面などの下地材に添着すると共に、上記第２コンタクト部材の接着剤塗布状接着面に高含水率で吸放湿性を有する調湿部材を添着し、上記第１コンタクト部材と上記第２コンタクト部材の面ファスナー状接着面を重ね合せて接合し、下地材上に張替え自在に調湿部材を敷設することを特徴とする。【００１３】  そして、調湿空間の形成部材としては、請求項２記載のように、高含水率で吸放湿性を有する調湿部材と、一方面側を接着剤塗布状接着面とすると共に、他方面側を面ファスナー状接着面とし、互いの面ファスナー状接着面により着脱自在に結合される第１コンタクト部材と第２コンタクト部材とよりなり、上記第１コンタクト部材の接着剤塗布状接着面を壁面などの下地材に添着すると共に、上記第２コンタクト部材の接着剤塗布状接着面に高含水率で吸放湿性を有する調湿部材を添着し、上記第１コンタクト部材と第２コンタクト部材の面ファスナー状接着面を重ね合せて接合することにより、下地材上に張替え自在に上記調湿部材を敷設可能とすることを特徴とする。
【発明の効果】
【００１４】  この発明によれば、下地材に対する塗り作業や張替え作業などを行なうことなく、着脱作業のみで作業性よく低コストに環境によい調湿空間の提供を行うことができる。
また、補修を行う場合にはその部分の調湿部材の着脱作業で取替え工事が可能であり、季節ごとの模様替えにも好適である。
さらに、取り除かれた壁紙などのゴミの排出がないので、ゴミの焼却によるダイオキシンの発生などがなく、人間生活環境と地球環境の双方への問題を解決することができる。
【発明を実施するための最良の形態】
【００１５】  以下、この発明の実施例を図面に基づき詳細に説明をする。図１は、この発明に係る壁面形成状態を示す説明用断面図である。【００１６】  図１に示すように、この発明に係る調湿空間の形成部材は、調湿部材１とコンタクト部材２とにより構成される。調湿部材１は、高含水率で吸放湿性を有する部材よりなり、この実施例では正方形状の板体よりなり、図示はしないが表面に模様などを施した装飾用調湿部材として説明をする。【００１７】  好適な調湿部材１としては、比表面積が大きく超微細多孔質構造体や層状構造体などのセラミック材を主原料とした高含水率の調湿作用を有する板状体として形成される。比表面積が大きく高含水率の板状体は、超微細多孔質構造体で微粉末状の珪藻土や層状構造体であるモンモリロナイトなどを主成分としたセラミッククレー（粘土）を平板状に成形して形成することができる。【００１８】  さらに、具体的な１実施例を示す。調湿部材１は、粉末状消石灰，白セメント，粉末状焼成白色珪藻土を含む建材用組成物を水と混錬して焼成して形成する。各配合は、粉末状消石灰１００重量部に対して、白色セメントを８０〜９０重量部、粉末状焼成白色珪藻土を５０〜６０重量部、粉末状粘土質原料を１１〜６７重量部の範囲で配合し、助材として粉末状アクリル樹脂を６〜７重量部，メトローズ（水溶性非イオンセルロース）を４〜６重量部，消泡剤を１〜２重量部などとして配合する。【００１９】  なお、調湿部材１は、上記のものに限定されることなく木質パネルや木質フローリングなど適宜種々の作用を有する材質のものを選択することができる。また、茶殻，珈琲殻，紅茶殻，ハーブ殻，竹粉などのような廃棄植物材料を環境改善機能材として含有してもよく、高含水セラミック材を主成分とした組成物中には、助剤として微粉末化された卵殻，牡蠣殻，帆立殻などのように廃棄された天然無機材料を混入してもよく、顔料として酸化チタンを混入すれば、空気に触れて二酸化チタンとなり、光触媒の強力な酸化還元反応効果により大気中の有害汚染物質を分解するなど種々の機能を付加することができる。【００２０】  一方、コンタクト部材２は、一方面側を接着剤塗布状接着面３ａ，４ａとすると共に、他方面側を面ファスナー状接着面３ｂ，４ｂとする第１コンタクト部材３と第２コンタクト部材４とにより構成される。第１コンタクト部材３の面ファスナー状接着面３ｂと第２コンタクト部材４の面ファスナー状接着面４ｂとは、互いにオス・メスの関係とされ着脱自在とされている。なお、接着剤塗布状接着面３ａ，４ａには容易に剥がせるカバー３ｃ，４ｃが付けられている。【００２１】  用いられる接着剤としては、アクリルフォーム構造体用接合テープに用いられているアクリル系粘着材が、常温下での接着性，耐熱性，耐久性，濡れ性などに優れている（商品名：ハイソフトタイプ＜Ｙ−４６０４，Ｙ−４６０８，Ｙ−４６１２，Ｙ−４６２０＞住友スリーエム（株）製）。また、面ファスナーは、互いに重ね合わせて加圧すれば容易に接合することができるが、離反させる場合には、一方をそり返すようにしながら捩るようにして離反させると容易に剥がれ、接着後は地震や振動などの単純な加力では離反せず安定的な接合状態が保���される。このような面ファスナーとしては、例えば商品名：デュアルロックファスナー・住友スリーエム（株）製のものが好適である。【００２２】  次に、この実施例を壁面におけるリフォー厶の場合の作業に基づいて説明をする。まず、下地材（被着体）Ｗに貼り付けられた壁紙（図示略）は従来のように剥がさず、その壁紙の上に直接第１コンタクト部材３の一方面側の接着剤塗布状接着面３ａを設計仕様にしたがって添着する。この時、第１コンタクト部材３の他方面側には面ファスナー状接着面３ｂが現われている。次いで、調湿部材１を第２コンタクト部材４の一方面側の接着剤塗布状接着面４ａに設計仕様にしたがって添着する。この時、第２コンタクト部材４の他方面側には面ファスナー状接着面４ｂが現われている。【００２３】  したがって、第１コンタクト部材３と第２コンタクト部材４の面ファスナー状接着面３ｂ，４ｂ同士を重ね合わせて接合すれば、既設の壁紙上に調湿部材１を着脱自在に、すなわち張替え自在に敷設することができる。しかも、この装飾用調湿部材１は、設計仕様によって単一でも複数個連続的にでも添着することができる。なお、新築の場合には、下地材Ｗに直接第１コンタクト部材３を添着してもよく、下地処理をした後に第１コンタクト部材３を添着してもよい。【００２４】  このように、この実施例によれば、吸放湿性を有する調湿部材をコンタクト部材を用いて着脱作業によって添着させるだけで所望の調湿空間を形成することができるので、従来のように塗装による熟練技術を伴う塗り作業を行なったり塗装面の養生などの工程を必要としない。
また、下地材の壁紙などを剥がし下地材の調整を行うなどの工程を省くことができ、きわめて作業性よく低コストで環境によい調湿空間の形成が行えると共に、取り除かれた壁紙などのゴミの排出もなく、ゴミの焼却によるダイオキシンの発生などがなく、人間生活環境と地球環境の双方への問題を解決することができる。
【図面の簡単な説明】
【図１】  この発明に係る壁面形成状態を示す説明用断面図である。
【図２】  この発明に係るコンタクト部材の説明用断面図である。
【図３】  壁面形成状態の１例を示す説明用平面図である。
【図４】  図３における添着状態を示す説明用断面図である。
【符号の説明】
１    調湿部材
２    コンタクト部材
３    第１コンタクト部材
４    第２コンタクト部材
【図１】
2005054555.tif 000003
【図２】
2005054555.tif 000004
【図３】
2005054555.tif 000005
【図４】
2005054555.tif 000006